(57)【要約】【課題】  スライドカバーを備えた携帯製品として、特にその開閉操作を容易にし、操作性を向上したものを提供する。【解決手段】  機器本体２と、機器本体２に取り付けられたスライドカバー３とを備え、スライドカバー３が、機器本体２の機能部４を開閉するよう、移動可能に取り付けらた携帯製品である。リンク部材１６が、開閉スイッチ１８に連動して可動部材１４をガイドに沿って移動させるよう構成され、可動部材１４が、ガイド１３に沿って移動した際、押圧部１４ａでスライドカバー３の係合突起９を押圧し、スライドカバー３を所定距離移動させるよう構成され、弾性部材１１が、スライドカバー３が所定距離移動させられた際、弾性変形方向を反転させることで、その付勢力によって係合突起９を可動部材１４に沿ってさらに移動させ、これによりスライドカバー３をさらに移動させるようになっている。【選択図】        図３
2005311989.tif 000002
【特許請求の範囲】
【請求項１】
機器本体と、該機器本体に取り付けられたスライドカバーとを備え、前記スライドカバーが、前記機器本体の機能部または操作部の少なくとも一部を覆う状態とこれを露出させる状態との間を移動可能に取り付けられてなる携帯製品において、
前記機器本体の外部に開閉スイッチが移動可能に設けられ、
前記機器本体に、前記スライドカバーの移動方向に沿うガイドと、前記ガイドに沿って移動可能に構成され、かつその移動方向の両端部にそれぞれ押圧部を有した可動部材と、前記開閉スイッチに一端側が連結するとともに前記可動部材に他端側が連結したリンク部材と、がそれぞれ設けられ、
前記スライドカバーの内面側に、前記可動部材に係合するとともに該可動部材に沿って移動可能な係合突起が設けられ、前記機器本体に、前記係合突起に係合する係合部を有した線状あるいは細板状の弾性部材が、前記スライドカバーの移動方向を弾性復帰方向とするよう弾性変形した状態に設けられてなり、
前記リンク部材は、前記開閉スイッチの移動に連動してその他端側を移動させ、前記可動部材を前記ガイドに沿って移動させるよう構成されてなり、
前記可動部材は、前記リンク部材により前記ガイドに沿って移動した際、前記押圧部で前記スライドカバーの係合突起を押圧し、スライドカバーを所定距離移動させるよう構成されてなり、
前記弾性部材は、前記可動部材により前記スライドカバーが所定距離移動させられた際、その弾性変形した方向を反転させることで、その付勢力によって前記スライドカバーの係合突起を前記可動部材に沿ってさらに移動させ、これにより前記スライドカバーをさらに移動させるよう構成されてなることを特徴とする携帯製品。
【請求項２】
前記弾性部材が波形に成形されてなることを特徴とする請求項１記載の携帯製品。
【請求項３】
前記操作部または機能部がカメラのレンズ部であることを特徴とする請求項１または２記載の携帯製品。
【発明の詳細な説明】
【技術分野】
【０００１】
本発明は、デジタルカメラや携帯電話等の携帯製品に係り、特にスライドカバーを備えた携帯製品に関する。
【背景技術】
【０００２】
従来、携帯製品としてデジタルカメラや携帯電話が知られている。このような製品の中で例えば携帯電話にあっては、スライド開閉するスライドカバーでキー操作部を覆う構造のものが提供されている（例えば、特許文献１、特許文献２参照）。なお、このような携帯電話では、近年、ＣＣＤ等からなるカメラを有し、画像の記録や伝送できるように構成された製品も提供されており、このようなカメラのレンズ部について、防塵などの目的でスライドカバーを設けることも検討されている。
また、デジタルカメラとしては、カメラ本体の前面に、撮影レンズを露出させる開き位置と撮影レンズを覆う閉じ位置との間で、移動自在なスライドカバー（レンズカバー）を備えたものが知られている（例えば、特許文献３参照）。
【特許文献１】特開２００１−１１８４５６号公報
【特許文献２】特開２００２−５５７３７号公報
【特許文献３】特開２００２−２５８３５３号公報
【発明の開示】
【発明が解決しようとする課題】
【０００３】
ところで、このような携帯製品にあっては、その操作性をより良好にするため、前記のキー操作を覆うスライドカバーや、カメラのレンズ部を覆うスライドカバーについても、その開閉操作がより簡便であることが望まれている。
すなわち、スライドカバーの実際の開閉操作を、その開閉の際の移動量に対応したストローク分、スライドカバーを直接移動させるのでは、ストローク量が大きい場合など操作性が悪くなり、完全に開ききらずに半開きの状態になってしまうなどのおそれがある。
【０００４】
本発明は前記事情に鑑みてなされたもので、その目的とするところは、スライドカバーを備えた携帯製品として、特にその開閉操作を容易にし、操作性を向上したものを提供することにある。
【課題を解決するための手段】
【０００５】
前記目的を達成するため本発明の携帯製品は、機器本体と、該機器本体に取り付けられたスライドカバーとを備え、前記スライドカバーが、前記機器本体の機能部または操作部の少なくとも一部を覆う状態とこれを露出させる状態との間を移動可能に取り付けられてなる携帯製品において、
前記機器本体の外部に開閉スイッチが移動可能に設けられ、
前記機器本体に、前記スライドカバーの移動方向に沿うガイドと、前記ガイドに沿って移動可能に構成され、かつその移動方向の両端部にそれぞれ押圧部を有した可動部材と、前記開閉スイッチに一端側が連結するとともに前記可動部材に他端側が連結したリンク部材と、がそれぞれ設けられ、
前記スライドカバーの内面側に、前記可動部材に係合するとともに該可動部材に沿って移動可能な係合突起が設けられ、前記機器本体に、前記係合突起に係合する係合部を有した線状あるいは細板状の弾性部材が、前記スライドカバーの移動方向を弾性復帰方向とするよう弾性変形した状態に設けられてなり、
前記リンク部材は、前記開閉スイッチの移動に連動してその他端側を移動させ、前記可動部材を前記ガイドに沿って移動させるよう構成されてなり、
前記可動部材は、前記リンク部材により前記ガイドに沿って移動した際、前記押圧部で前記スライドカバーの係合突起を押圧し、スライドカバーを所定距離移動させるよう構成されてなり、
前記弾性部材は、前記可動部材により前記スライドカバーが所定距離移動させられた際、その弾性変形した方向を反転させることで、その付勢力によって前記スライドカバーの係合突起を前記可動部材に沿ってさらに移動させ、これにより前記スライドカバーをさらに移動させるよう構成されてなることを特徴としている。
【０００６】
この携帯製品によれば、前記リンク部材が、前記開閉スイッチの移動に連動してその他端側を移動させ、前記可動部材を前記ガイドに沿って移動させるようになっており、前記可動部材が、前記リンク部材により前記ガイドに沿って移動した際、前記押圧部で前記スライドカバーの係合突起を押圧し、スライドカバーを所定距離移動させるようになっており、前記弾性部材が、前記可動部材により前記スライドカバーが所定距離移動させられた際、その弾性変形した方向を反転させることで、その付勢力によって前記スライドカバーの係合突起を前記可動部材に沿ってさらに移動させ、これにより前記スライドカバーをさらに移動させるようになっているので、スライドカバーを開閉させる際の実際の開閉操作は、開閉スイッチを移動させ、前記リンク部材の他端側を移動させてスライドカバーを所定距離移動させるだけであるものの、この操作により、前記弾性部材の作用によってスライドカバーをさらに移動させることが可能となる。したがって、この携帯製品にあっては、少ない開閉操作でスライドカバーに大きなストロークの開閉動作をなさせることが可能になり、よって、開閉操作が容易になり、操作性が向上したものとなる。
【０００７】
また、前記携帯製品においては、前記弾性部材が波形に成形されてなるのが好ましい。
このようにすれば、弾性部材の両端が固定された状態で弾性部材に引張力が与えられると、前記弾性部材は個々の波の幅が広がることにより見掛け上で同じ長さの一般的な線形状の弾性部材に比べて、波形になっている分だけストローク量が大きくなる。したがって、前記の、弾性部材が反転することでその付勢力により前記スライドカバーをさらに移動させる際、ストローク量が大きくなっている分付勢力を大きくすることができ、よって、この付勢力によるスライドカバーの移動を円滑になさせることが可能になる。また、付勢力が大きくなる分、前記の一般的な線形状の弾性部材に比べてその耐久性も向上する。
【０００８】
また、前記携帯製品においては、操作部または機能部がカメラのレンズ部であるのが好ましい。
このようにすれば、特にカメラの使用時における操作性が向上するため、携帯製品自体の操作性がより良好なものとなる。
また、この携帯製品が携帯電話である場合、このようにカメラを有した携帯電話にあっては、カメラ機能以外の操作時で、カメラが使われない状態であっても、他人からはカメラの操作を行っているか否かの区別ができないため、例えばカメラのレンズ部が向けられた人に対して、自分が撮影されているのではないかといった疑いから不快感を与えてしまうおそれがある。
しかし、本発明によれば、カメラ機能以外の操作時に、カメラのレンズ部をスライドカバーで覆うことができることから、カメラのレンズ部を他人が意識することがなくなり、前述したような不快感を与えてしまうおそれもなくなる。
【発明の効果】
【０００９】
本発明の携帯製品にあっては、開閉スイッチによる少ない開閉操作により、スライドカバーに大きなストロークの開閉動作をなさせることができることから、スライドカバーの開閉操作を容易にし、携帯製品自体の操作性を向上させることができる。
【発明を実施するための最良の形態】
【００１０】
以下、本発明の携帯製品を詳しく説明する。
図１は本発明の携帯製品の一実施形態を示す図であり、図１中符号１は本発明の携帯製品としてのデジタルカメラである。このデジタルカメラ１は、直方体状のカメラ本体（機器本体）２に、平面視略矩形状のレンズキャップ（スライドカバー）３を移動可能（開閉可能）に設けてなるものである。すなわち、カメラ本体２には、その前面側にレンズ部４（機能部）が設けられており、前記レンズキャップ３は、図１中矢印で示すようにこのレンズ部４を覆う閉じ状態と、これを露出させる開き状態との間を移動可能に取り付けられている。
【００１１】
このレンズキャップ３は、図２に示すように樹脂製のキャップ本体５と、これの内面側を覆う樹脂製の裏蓋６とからなるものである。キャップ本体５は、その長辺側が内側（カメラ本体２側）に折れ曲がり、この折れ曲がった部分の先端部にそれぞれ脚部７、７を形成したもので、これら脚部７、７より外側（カメラ本体２と反対の側）に、前記裏蓋６を無理嵌め等によって取り付けたものである。
【００１２】
脚部７、７は、肉厚の薄い薄厚部７ａと、この薄厚部７ａの先端側にて側方に膨出した係合部７ｂとからなるもので、カメラ本体２の筺体２ａに形成された第１案内孔８に移動可能に係合するよう、筺体２ａに対して無理嵌めされている。このような構成によってレンズキャップ３は、その長辺側に形成された脚部７、７が第１案内孔８に移動可能に係合していることにより、第１案内孔８の長さ方向、すなわち、前述したようにレンズ部４を覆う方向とこれを露出させる方向との間を移動可能に取り付けられたものとなっている。
【００１３】
また、レンズキャップ３には、そのキャップ本体５の内面側に係合突起９が形成されている。この係合突起９は、裏蓋６を貫通し、さらに前記筺体２ａに形成された第２案内孔１０を移動可能に貫通したもので、キャップ本体５と裏蓋６との間において弾性部材１１と係合したものである。
【００１４】
弾性部材１１は、ステンレスや高張力鋼などの金属、あるいは合成樹脂等からなるもので、本実施形態では金属製の１本の線材を波形に成形したものが用いられている。波形については、例えば図３（ａ）に示すような正弦波に近い均一な形状を採用することができるが、もちろんこれに限定されることなく、波の高さや幅などが不均一な形状であってもよい。
【００１５】
この弾性部材１１には、その中央部に係合部１１ａが形成されており、両端部には、図２に示すように下方に折れ曲がってなる折曲部１１ｂが形成されている。係合部１１ａは、前記レンズキャップ３の係合突起９に対し、これを周回することでこれに係合したものである。折曲部１１ｂは、前記蓋部６に形成された貫通孔（図示せず）から引き出され、さらに前記筺体２ａに形成された取付孔２ｂに挿通してここに保持固定されたものとなっている。
【００１６】
このような構成のもとに弾性部材１１は、その両端部（折曲部１１ｂ）がカメラ本体２の筺体２ａに固定され、一方、中央の係合部１１ａがレンズキャップ３の係合突起９に固定されていることにより、レンズキャップ３が筺体２ａの第１案内溝８に沿って移動した際、その中央の係合部１１ａ側のみがこれに連動するようになっている。
また、この弾性部材１１は、その折曲部１１ｂ、１１ｂが取付孔２ｂ、２ｂに挿通して筺体２ａに保持固定された際、全体が見掛け上、略円弧状に湾曲しあるいは折曲して弾性変形した状態となるよう、その長さが取付孔２ａ、２ａ間の間隔より十分に長く形成されている。このような構成のもとに弾性部材１１は、レンズキャップ３の移動に伴ってその中央部側が、前記レンズ部４側に凸となるように湾曲（折曲）し、あるいはその反対側に湾曲（折曲）するようになっている。
【００１７】
このような構成のもとに弾性部材１１は、見掛け上、湾曲（折曲）した状態から直線状に戻る方向を弾性復帰方向とし、レンズキャップ３の移動方向が、弾性復帰方向に一致するようになっている。したがって、レンズキャップ３の係合突起９には、弾性部材１１が弾性復帰する際に該弾性部材１１によって付勢力が付与されるようになっている。  
また、本発明の弾性部材１１は、前述したように前記レンズ部４側に凸となるように湾曲（折曲）し、あるいはその反対側に湾曲（折曲）した際には、個々の波形もその波の幅を広げた状態、あるいは狭めた状態に弾性変形している。したがって、前述したように弾性部材１１が見掛け上湾曲した状態から直線状に戻る方向に弾性復帰した際に、このような個々の波形も本来の幅に弾性復帰することで、本実施形態の弾性部材１１は、その弾性復帰による付勢力も相乗的に大きくなっているのである。
【００１８】
ここで、弾性部材１１は、同じ材質（線径）のものであれば、その実質的な長さにより、弾性変形した状態から弾性復帰する際のストローク量が規制される。また、このようにして規制されたストローク量に基づき、その付勢力も規定されるようになっている。よって、本実施形態の弾性部材１１は、例えば波形に成形されていない直線状のもので、見掛け上の長さが同じであるものに比べ、実質的な長さが大きくなることでストローク量も大きくなり、したがってその付勢力も大となっている。よって、この弾性部材１１は、後述するようにその付勢力により、レンズキャップ３の移動を円滑になさせるようになっている。
【００１９】
また、カメラ本体２の筺体２ａ内には、図２に示すように基板１２が配設されており、この基板１２の外面側（レンズキャップ３側）にはガイド１３が設けられている。このガイド１３は、図４に示すように基板１２の外面に形成された長細い矩形環状のもので、この環状の長辺の長さ方向が前記レンズキャップ３の移動方向に一致させられて形成されたものである。
【００２０】
このガイド１３には、その環状の内側に、可動部材１４が摺動可能に載せられている。可動部材１４は、長細い板状のもので、その長辺の長さ方向を前記ガイド１３の長辺の長さ方向に一致させられて配設されたものである。この可動部材１４には、その両端部に半円筒状の押圧部１４ａ、１４ａが形成されており、これら押圧部１４ａ、１４ａは、後述するように前記レンズキャップ３の係合突起９を押圧し、あるいはこれに押圧されるようになっている。
また、この可動部材１４は、その長辺側の長さが前記ガイド１３の長辺側の長さより短く形成されており、これによって可動部材１４は、前述したようにガイド１３の長手方向に移動（摺動）可能となっている。
【００２１】
さらに、この可動部材１４には、図２に示すようにその底面側、すなわち押圧部１４ａ、１４ａと反対の側に、突起１４ｂが形成されている。この突起１４ｂは、前記基板１２のガイド１３内に形成された第３案内孔１５を移動可能に貫通したもので、基板１２における前記ガイド１３と反対の側において、リンク部材１６に連結している。
【００２２】
リンク部材１６は、図４に示すように長細い板状のもので、その中央部近傍にて軸１７で基板（図示せず）に保持されている。このような構成のもとにリンク部材１６は、基板１２（図２参照）に回動可能に取り付けられたものとなっている。また、このリンク部材１６には、その一端側に長孔状の第１の係合孔１６ａが形成され、他端側に長孔状の第２の係合孔１６ｂが形成されている。第２の係合孔１６ｂ内には、可動部材１４の突起１４ｂが移動可能に係合しており、これによってリンク部材１６は、その一端側が可動部材１４に連結したものとなっている。また、第１の係合孔１６ａ内には、開閉スイッチ１８の突起１８ａが移動可能に係合しており、これによってリンク部材１６は、その他端側が開閉スイッチ１８に連結したものとなっている。
【００２３】
開閉スイッチ１８は、図３（ａ）に示すように、カメラ本体２の筺体２ａの外側（底面側）に突出して設けられたもので、筺体２ａに形成された切欠２０内に移動可能に取り付けられたものである。すなわち、この開閉スイッチ１８は、前記切欠２０内を移動させられることによってリンク部材１６を動かし、これによって後述するように前記レンズキャップ３の開閉をなさせるようになっている。
なお、カメラ本体２の後面側や上面側には、図示しないものの、表示部やキー操作部などが設けられている。
【００２４】
次に、このような構成からなるデジタルカメラ１の、レンズキャップ３の開閉機構について説明する。
まず、レンズキャップ３が閉まった状態、すなわち、レンズキャップ３がレンズ部４を覆った状態では、図３（ａ）に示すように係合突起９を介してレンズキャップ３に連結した前記弾性部材１１は、レンズ部４方向に凸となるよう湾曲（折曲）した状態となっている。このとき、弾性部材１１は、弾性復帰方向を矢印Ｂ方向としているものの、その両端部（折曲部１１ｂ）が筺体２ａに固定されていることから、弾性復帰しようとする力がその中央部を凸とする方向に働き、この状態で安定している。したがって、この弾性部材１１によってレンズキャップ３は閉まった状態にロックされている。なお、このように弾性部材１１がその中央部をレンズ部４方向（矢印Ｃ方向）に凸としていることにより、前記可動部材１４は、レンズキャップ３の係合突起９に押圧部１４ａが押圧され、レンズ部４側に位置させられている。
【００２５】
この閉まった状態からレンズキャップ３を開くには、前記開閉スイッチ１８を、図３（ａ）中の矢印Ｃ方向に移動させる。すると、前記リンク部材１６が、この開閉スイッチ１８の移動に連動してその他端側を移動させ、図３（ｂ）に示すように前記可動部材１４を前記ガイド１３に沿って矢印Ｂ方向に移動させる。このようにして可動部材１４が移動すると、この可動部材１４は、その一方の側（レンズ部４側）の押圧部１４ａで前記係合突起９を押圧し、レンズキャップ３を矢印Ｂ方向に所定距離移動させる。ここで、レンズキャップ３が移動する所定距離は、開閉スイッチ１８の移動量と、この移動量を可動部材１４の移動量に変換するリンク部材１６の構成とによって決定される。リンク部材１６は、その一端側（開閉スイッチ１８側）から軸１７までの距離と、他端側（可動部材１４側）から軸１７までの距離との比が、１：ｘ（ただし、ｘ＞１）となるように形成されている。そして、このような構成により、レンズキャップ３が移動する所定距離、すなわち、可動部材１４の移動量は、前記の開閉スイッチ１８の移動量より大きくなっているのである。
【００２６】
このようにして開閉スイッチ１８を移動させ、可動部材１４を移動させることでレンズキャップ３を矢印Ｂ方向に所定距離移動させると、図３（ｂ）中細線で示すように弾性部材１１が、その弾性変形した方向を反転させる。すなわち、弾性部材１１は、固定された両端部（折曲部１１ｂ）に対し、係合突起９を介してレンズキャップ３に連結する中央部の係合部１１ａ部分が、固定された両端部間を結ぶ直線上に近づくと、その弾性復帰力が移動方向側、すなわち矢印Ｂ方向に働くようになり、その弾性変形した方向を反転させるのである。
【００２７】
そして、このようにして弾性部材１１がその弾性変形方向を反転させると、この反転した際の付勢力により、弾性部材１１に連結した係合突起９も、図３（ｂ）中細線で示したように可動部材１４上を移動し、一方の側（レンズ部４側）の押圧部１４ａ側から他方の側の押圧部１４ａ側に移動する。
【００２８】
また、このとき弾性部材１１は、その弾性変形方向を反転させることで、図３（ｂ）中細線で示したように矢印Ｂ方向に凸となるよう湾曲（折曲）した状態となる。すると、弾性部材１１は、図３（ａ）に示した状態とは逆に、弾性復帰方向を矢印Ｃ方向としているものの、その両端部（折曲部１１ｂ）が筺体２ａに固定されていることから、弾性復帰しようとする力がその中央部を凸とする方向（矢印Ｂ方向）に働く。このようにして弾性復帰しようとする力が矢印Ｂ方向に働くと、この力が係合突起９を介して可動部材１４の他方の側の押圧部１４ａに働き、これによって可動部材１４はガイド１３上をさらに矢印Ｂ方向に移動する。すると、弾性部材１１によって係合突起９がさらに矢印Ｂ方向に移動したことにより、レンズキャップ３は図３（ｃ）に示すようにさらに開き、レンズ部４全体を露出させるようになる。
【００２９】
なお、弾性部材１１は、図３（ａ）に示した状態と同様、図３（ｃ）に示した状態でも安定となることから、レンズキャップ３はこの開いた状態でも弾性部材１１によってロックされたものとなる。
また、このようにして開かれたレンズキャップ３を再度閉じる場合には、開閉スイッチ１８を逆に移動させることで行う。すなわち、開閉スイッチ１８を逆に移動させると、図３（ａ）、図３（ｂ）中の実線、図３（ｂ）中の細線、図３（ｃ）の順に示した各動作が逆に起こり、レンズキャップ３は図３（ａ）に示したようにレンズ部４を閉じた状態となる。
【００３０】
このような構成のデジタルカメラ１にあっては、前記弾性部材１１が反転する力を利用してその際の付勢力でレンズカバー３を移動させるようにしているので、開閉スイッチ１８を移動させることによるレンズカバー３の実際の開閉操作に対し、レンズカバー３をより大きく開閉させることができる。したがって、このデジタルカメラ１にあっては、少ない開閉操作でレンズカバー３に大きなストロークの開閉動作をなさせることができ、開閉操作が容易になり、操作性が向上したものとなる。
【００３１】
また、弾性部材１１として波形に成形されたものを用いているので、この弾性部材１１が、見掛け上で同じ長さの一般的な線形状の弾性部材に比べて、波形になっている分だけストローク量が大きくなる。よって、これが反転する際の付勢力も大きくなり、したがってこの付勢力によるレンズキャップ３の移動を円滑になさせることができる。また、同時にクリック感も得ることができるため、操作性がより良好となる。また、付勢力が大きくなる分、前記の一般的な線形状の弾性部材に比べてその耐久性も向上したものとなり、したがってデジタルカメラ１自体の耐久性の向上を図ることができる。
【００３２】
なお、前記実施形態では、カメラ本体２（筺体２ａ）に対する弾性部材１１の両端部の固定位置を、係合突起９が移動する範囲の中央部でなく、少しレンズ部４側にずらし、これによってレンズキャップ３を開く際の操作に要する力が、これを閉じる際の操作に要する力に比べて弱くて済むようにしているが、本発明はこれに限定されることなく、弾性部材１１の両端部の固定位置を係合突起９が移動する範囲の中央部とし、レンズキャップ３を開く際と閉じる際の操作を同様に行えるようにしてもよい。
【００３３】
また、前記実施形態では、開閉スイッチ１８の移動方向とレンズキャップ３の移動方向（開閉方向）とが逆になっているが、例えばリンク部材１６を二つ連結することにより、これらを同一方向に揃えることもできる。
【００３４】
また、前記弾性部材１１の係合部１１ａの近傍では、ストロークが最も大きくなるため応力の集中が高くなる。そこで、例えば図５に示すように、係合部１１ａの両隣の波の山または谷部に１周巻回したループ部１９を形成するようにしてもよい。このようにすれば、このループ部１９において応力集中する部分を実質上長くすることができるので、係合部１１ａ近傍での応力の集中を緩和し、この弾性部材１１の強度および耐久性を向上させることができる。なお、このようなループ部１１については、必要に応じて任意の波に設けることができる。
【００３５】
また、前記実施形態では、弾性部材として金属製の１本の線材を波形に成形したものを用いたが、本発明はこれに限定されることなく、弾性を有する樹脂製で細板状の材料を波形に成形して用いるようにしてもよく、さらには、波形に成形しない、通常の１本の線材からなるものや、一枚の細板状のものなどを用いることができる。
【００３６】
また、前記実施形態では、本発明の携帯製品を、レンズ部４を開閉可能に覆うレンズキャップ（スライドカバー）３を備えたデジタルカメラ１に適用した例を示したが、本発明はこれらに限定されることなく、携帯電話のカメラ部やフラッシュをスライドカバーで覆う構成のものや、携帯電話のキー操作部をスライドカバーで覆う構成のものなどにも適用可能である。
【図面の簡単な説明】
【００３７】
【図１】本発明の携帯製品の一実施形態の、概略構成を示す斜視図である。
【図２】図１のＡ−Ａ線矢視断面図である。
【図３】（ａ）〜（ｃ）はレンズキャップの開閉動作を説明するための一部断面視した要部平面図である。
【図４】レンズキャップを開閉させるための機構を示す斜視図である。
【図５】弾性部材の別の形態を示す図である。
【符号の説明】
【００３８】
１…デジタルカメラ（携帯製品）、２…カメラ本体（機器本体）、
３…レンズキャップ（スライドカバー）、４…レンズ部（機能部）、９…係合突起、
１１…弾性部材、１１ａ…係合部、１３…ガイド、１４…可動部材、１４ａ…押圧部、
１４ｂ…突起、１６…リンク部材、１８…開閉スイッチ
【図１】
2005311989.tif 000003
【図２】
2005311989.tif 000004
【図３】
2005311989.tif 000005
【図４】
2005311989.tif 000006
【図５】
2005311989.tif 000007